(57)【要約】【課題】ファクシミリ用でない用紙へのファクシミリ印刷を防ぐことができるファクシミリ装置、およびファクシミリ装置の制御方法を提供すること。【解決手段】用紙設定を取得する（ステップＳ１００）。取得した用紙設定がＡ４普通紙でなければ（ステップＳ１１０：Ｙｅｓ）、ファクシミリ印刷を行う際に操作ユニットへの所定の操作が必要になる手動受信に受信設定を変更する（ステップＳ１２０）。これにより、ユーザは、ファクシミリ印刷が行われる前に、載置部に載置された用紙の種類を確認することができるようになるので、ファクシミリ用でない用紙へのファクシミリ印刷を防ぐことができる。【選択図】図５
2008211431.tif 000002
【特許請求の範囲】
【請求項１】
ファクシミリ用の用紙を含む複数種類の用紙を載置可能な載置部と、
前記載置部に載置された用紙に対して印刷を行うための印刷部と、
操作を受けるための操作部と、
ファクシミリデータを受信するファクシミリデータ受信部と、
前記受信したファクシミリデータに基づくファクシミリ印刷を印刷部に行わせる受信印刷制御部と、
印刷の対象とする用紙種類の用紙設定を取得する用紙設定取得部とを備え、
前記受信印刷制御部は、前記ファクシミリデータを受信すると前記ファクシミリ印刷を前記印刷部に行わせる自動受信の受信設定、および、前記ファクシミリデータの受信後に前記操作部への操作に応じて前記ファクシミリ印刷を行わせる手動受信の受信設定を選択的に設定可能であり、
前記取得した用紙設定に応じて前記受信設定を設定することを特徴とするファクシミリ装置。
【請求項２】
請求項１に記載のファクシミリ装置において、
前記用紙設定取得部は、前記操作部への操作に応じて用紙設定が変更された場合に、前記変更された用紙設定を取得し、
前記受信印刷制御部は、前記変更された用紙設定に応じて受信設定を変更することを特徴とするファクシミリ装置。
【請求項３】
請求項１または２に記載のファクシミリ装置において、
前記用紙設定取得部は、前記ファクシミリデータ受信部が前記ファクシミリデータを受信した場合に、前記受信したファクシミリデータの用紙設定を取得し、
前記受信印刷制御部は、前記取得したファクシミリデータの用紙設定に応じて受信設定を変更することを特徴とするファクシミリ装置。
【請求項４】
請求項１ないし３のいずれか一項に記載のファクシミリ装置において、
印刷ジョブを受信する印刷ジョブ受信部をさらに備え、
前記用紙設定取得部は、前記印刷ジョブ受信部が印刷ジョブを受信した場合に、前記受信した印刷ジョブの用紙設定を取得し、
前記受信印刷制御部は、前記取得した印刷ジョブの用紙設定に応じて受信設定を変更することを特徴とするファクシミリ装置。
【請求項５】
請求項１ないし４のいずれか一項に記載のファクシミリ装置において、
前記受信印刷制御部は、前記取得した用紙設定が前記ファクシミリ用の用紙でない場合に、前記手動受信に設定を変更することを特徴とするファクシミリ装置。
【請求項６】
請求項１ないし５のいずれか一項に記載のファクシミリ装置において、
用紙設定に応じた受信設定の変更制御を有効にするための選択肢、および無効にするための選択肢を含む画面を表示する表示部をさらに備え、
前記受信印刷制御部は、前記操作部への前記選択肢の選択操作に応じて、用紙設定に応じた受信設定の変更制御を有効、または無効に設定することを特徴とするファクシミリ装置。
【請求項７】
ファクシミリ用の用紙を含む複数種類の用紙を載置可能な載置部と、前記載置部に載置された用紙に対して印刷を行うための印刷部とを備えたファクシミリ装置の制御方法であって、
印刷の対象とする用紙種類の用紙設定を取得するステップと、
ファクシミリデータを受信するステップと、
前記ファクシミリデータを受信するとファクシミリ印刷を前記印刷部に行わせる自動受信印刷の受信設定、および、前記ファクシミリ印刷を前記操作部への操作に応じて行わせる手動受信印刷の受信設定のうちから、前記取得した用紙設定に応じて受信設定を設定するステップとを備えることを特徴とするファクシミリ装置の制御方法。
【発明の詳細な説明】
【技術分野】
【０００１】
予めセットされた用紙に対してファクシミリ印刷を行うファクシミリ装置、およびファクシミリ装置の制御方法に関する。
【背景技術】
【０００２】
近年、複写機能、ファクシミリ機能、印刷機能などの複数の機能を備えたプリンタ、いわゆるマルチファンクションプリンタが広く用いられている。マルチファンクションプリンタは、通常のプリンタとしての印刷機能を併せ持つため、Ａ４普通紙やＬ版サイズの写真用紙など多様な種類の用紙をセット可能な用紙トレイが取り付けられている。
【０００３】
また、マルチファンクションプリンタなどのファクシミリ機能を有する装置には、複数の受信設定を設定可能としたものがある。このときの受信設定としては、ファクシミリデータを受信するとユーザからの指示操作を受けてから、ファクシミリデータの画像を印刷する手動受信や、ファクシミリデータを受信するとユーザからの指示操作を受けることなく自動的に印刷する自動受信がある。
【０００４】
ここで、ファクシミリ機能を有する装置として、特許文献１には、予め記録紙サイズを設定しておき、設定された記録サイズに応じてファクシミリ受信画像を変倍してから画像出力する技術が開示されている。
【０００５】
【特許文献１】特開平５−１３０３８５号公報
【発明の開示】
【発明が解決しようとする課題】
【０００６】
しかしながら、特許文献１に記載の技術をマルチファンクションプリンタに適用した場合、Ｌ版の写真用紙などファクシミリ用でない用紙にファクシミリ原稿を印刷してしまうことがある。すなわち、マルチファンクションプリンタの用紙トレイは多様な種類の用紙がセット可能になっているので、例えば、印刷機能を使用した後に、自動受信に設定されたファクシミリ機能を使用する場合、サイズの異なる用紙や高価な用紙などファクシミリ用でない用紙に、ファクシミリ印刷が行われる可能性があった。
【０００７】
そこで、本発明は、ファクシミリ用でない用紙へのファクシミリ印刷を防ぐことができるファクシミリ装置、およびファクシミリ装置の制御方法を提供することを目的とする。
【課題を解決するための手段】
【０００８】
上記目的を達成する本発明のファクシミリ装置は、ファクシミリ用の用紙を含む複数種類の用紙を載置可能な載置部と、載置部に載置された用紙に対して印刷を行うための印刷部と、操作を受けるための操作部と、ファクシミリデータを受信するファクシミリデータ受信部と、受信したファクシミリデータに基づくファクシミリ印刷を印刷部に行わせる受信印刷制御部と、印刷の対象とする用紙種類の用紙設定を取得する用紙設定取得部とを備え、受信印刷制御部は、ファクシミリデータを受信するとファクシミリ印刷を印刷部に行わせる自動受信の受信設定、および、ファクシミリデータの受信後に操作部への操作に応じてファクシミリ印刷を行わせる手動受信の受信設定を選択的に設定可能であり、取得した用紙設定に応じて受信設定を設定することを特徴とする。
【０００９】
この構成によれば、用紙設定に応じて手動受信に設定されると、ファクシミリ印刷を行うためには操作部への操作が必要となるので、ファクシミリ印刷が行われる前にユーザは載置部に載置された用紙の種類を確認するようにして、ファクシミリ用でない用紙へのファクシミリ印刷が防がれる。例えば、用紙設定がファクシミリ用の用紙になっていないときには、載置部にはファクシミリ用でない用紙が載置されている可能性が高いので、用紙設定に応じて受信設定を変更するとしたことにより、ファクシミリ用でない用紙へのファクシミリ印刷を効果的に防ぐことができる。
【００１０】
また、本発明のファクシミリ装置において、用紙設定取得部は、操作部への操作に応じて用紙設定が変更された場合に、変更された用紙設定を取得し、受信印刷制御部は、変更された用紙設定に応じて受信設定を変更することが好ましい。
【００１１】
この構成によれば、用紙設定が変更された場合の用紙設定の変更に応じて受信設定が変更されることにより、ファクシミリ用でない用紙へのファクシミリ印刷を効果的に防ぐことができる。
【００１２】
また、本発明のファクシミリ装置において、用紙設定取得部は、ファクシミリデータ受信部がファクシミリデータを受信した場合に、受信したファクシミリデータの用紙設定を取得し、受信印刷制御部は、取得したファクシミリデータの用紙設定に応じて受信設定を変更することが好ましい。
【００１３】
この構成によれば、受信したファクシミリデータの用紙設定に応じて受信設定が変更されることにより、ファクシミリ用でない用紙へのファクシミリ印刷を効果的に防ぐことができる。
【００１４】
また、本発明のファクシミリ装置において、印刷ジョブを受信する印刷ジョブ受信部をさらに備え、用紙設定取得部は、印刷ジョブ受信部が印刷ジョブを受信した場合に、受信した印刷ジョブの用紙設定を取得し、受信印刷制御部は、取得した印刷ジョブの用紙設定に応じて受信設定を変更することが好ましい。
【００１５】
この構成によれば、受信した印刷ジョブの用紙設定に応じて受信設定が変更されることにより、ファクシミリ用でない用紙へのファクシミリ印刷を効果的に防ぐことができる。
【００１６】
また、本発明のファクシミリ装置において、受信印刷制御部は、取得した用紙設定がファクシミリ用の用紙でない場合に、手動受信に設定を変更することが好ましい。
【００１７】
この構成によれば、取得した用紙設定がファクシミリ用の用紙でない場合、ファクシミリ印刷に操作部への操作を要する手動受信に設定され、ユーザがファクシミリ印刷が行われる前に、載置部に載置された用紙の種類を確認するようにして、ファクシミリ用でない用紙へのファクシミリ印刷が効果的に防がれる。
【００１８】
また、本発明のファクシミリ装置において、用紙設定に応じた受信設定の変更制御を有効にするための選択肢、および無効にするための選択肢を含む画面を表示する表示部をさらに備え、受信印刷制御部は、操作部への選択肢の選択操作に応じて、用紙設定に応じた受信設定の変更制御を有効、または無効に設定することが好ましい。
【００１９】
この構成によれば、ユーザは、操作部を操作して、必要に応じて設定変更の制御を有効、または無効に切り替えることができるので、ユーザにとっての使い勝手がよくなる。
【００２０】
さらに、本発明は、ファクシミリ用の用紙を含む複数種類の用紙を載置可能な載置部と、載置部に載置された用紙に対して印刷を行うための印刷部とを備えたファクシミリ装置の制御方法であって、印刷の対象とする用紙種類の用紙設定を取得するステップと、ファクシミリデータを受信するステップと、ファクシミリデータを受信するとファクシミリ印刷を印刷部に行わせる自動受信印刷の受信設定、および、ファクシミリ印刷を操作部への操作に応じて行わせる手動受信印刷の受信設定のうちから、取得した用紙設定に応じて受信設定を設定するステップとを備えることを特徴とする。
【００２１】
この場合、ファクシミリ印刷が行われる前にユーザは載置部に載置された用紙の種類を確認することができるので、ファクシミリ用でない用紙へのファクシミリ印刷を効果的に防ぐことができる。
【発明を実施するための最良の形態】
【００２２】
（実施例１）
以下、本発明に係る実施の形態の一実施例について図面を参照して説明する。
【００２３】
図１は、第１の実施例に係るマルチファンクションプリンタ（以下、「ＭＦＰ」という）の外観斜視図である。ファクシミリ装置としてのＭＦＰ１は、原稿台に載置された原稿を複写する複写機能、ホストコンピュータやデジタルカメラの外部機器からの制御により印刷を行う印刷機能、ファクシミリ通信を行うファクシミリ機能、メモリカードに記憶された画像を印刷するメモリカード印刷機能を有した、いわゆる複合機である。図１に示すように、ＭＦＰ１は、装置本体２の原稿台に被さる原稿カバー３と、原稿カバー３に取り付けられた原稿トレイ４および原稿排紙トレイ５と、メモリカードなどのリムーバブルメモリが装着されるメモリスロット６と、給紙トレイ（載置部）７と、排紙トレイ８とを備えている。原稿カバー３は、ユーザが原稿台に原稿をセットできるように装置本体２側の原稿台に対して開閉自在に取り付けられている。給紙トレイ７については、Ｌ版サイズの写真用紙やＡ４普通紙など、用紙サイズや紙種が異なる複数種類の原稿がセット可能である。
【００２４】
また、ＭＦＰ１の装置本体２には操作ユニット（操作部）７０が取り付けられている。
【００２５】
次に、ＭＦＰ１の内部構成について説明する。図２に示すように、ＭＦＰ１は、ファクシミリ送受信部（ファクシミリデータ受信部）１０と、外部インターフェイス（印刷ジョブ受信部）２０と、メモリインターフェイス３０と、紙搬送機構４０と、スキャナユニット５０と、印刷エンジン（印刷部）６０と、操作ユニット７０と、これらの各構成を制御するコントローラ８０とを有している。
【００２６】
ファクシミリ送受信部１０は、公衆電話回線を介して他のファクシミリ１００と接続され、公衆電話網と接続するためのＮＣＵ（Network Control Unit）、および送受信データの変復調を行うモデムとしての機能を有している。ファクシミリ送受信部１０は、リング信号の検出、ＩＴＵ−Ｔ勧告に従うプロトコル制御などを行って、他のファクシミリ１００とファクシミリデータの送受信を行う。
【００２７】
外部インターフェイス２０は、外部機器と通信可能に接続するためのインターフェイス部分である。図２に示すように、外部インターフェイス２０にはパーソナルコンピュータ２００やデジタルカメラ３００などの外部機器が接続されている。
【００２８】
メモリインターフェイス３０は、メモリスロット６に挿入されたリムーバブルメモリ３１とのインターフェイス部分である。リムーバブルメモリ３１はフラッシュメモリなどの脱着可能な不揮発性の記憶媒体であり、印刷の対象とする画像データが記憶されている。
【００２９】
紙搬送機構４０は、ＭＦＰ１内部で用紙を搬送する機構であり、複数の搬送ローラや駆動モータなどで構成される。具体的には、紙搬送機構４０は、原稿トレイ４にセットされた用紙をＭＦＰ１内部に取り込んで給紙し、給紙された用紙をスキャナユニット５０の読取面に搬送したり、給紙トレイ７にセットされた用紙を印刷エンジン６０に供給する紙搬送を行う。また、紙搬送機構４０は、スキャナユニット５０による読み取り後の用紙を原稿排紙トレイ５に排出する紙搬送、および印刷エンジン６０による印刷後の用紙を排紙トレイ８に排出する紙搬送も行う。
【００３０】
スキャナユニット５０は、原稿台に載置された原稿の画像を読み取る部分であり、蛍光管ランプなどの照明部、ＣＣＤやＣＭＯＳなどのイメージセンサ、アナログ信号処理などを行うＡＦＥ（Analog Front End）、イメージセンサを原稿面に沿って走査させる機構などを備える。照明部は、スキャナユニット５０に供給された用紙を照明し、イメージセンサは原稿面に沿って走査されながら原稿の反射光を取り込んで画像信号を生成する。生成された画像信号は、ＡＦＥにより信号の増幅、ノイズ除去、Ａ／Ｄ変換などの処理が施され、ディジタル画像データに変換される。
【００３１】
印刷エンジン６０は、紙搬送機構４０により供給された用紙に対して印刷を行う部分であり、インクジェット方式で印刷用紙に画像を形成する印字ヘッドや、インクカートリッジ、印字ヘッドを駆動させる駆動回路などを備える。印字ヘッドおよびインクカートリッジはキャリッジに設けられ、用紙搬送に直交する方向にキャリッジを移動させながら、印字ヘッドに設けられたピエゾ素子を駆動して用紙に対してインクを吐出させる。これにより、用紙表面にドットが形成されて印刷が行われる。なお、本実施例では、インクジェット方式による印刷を行うものとしたが、電子写真方式や熱転写方式などの印刷方式により印刷を行う構成としてもよい。
【００３２】
操作ユニット７０は、ＭＦＰ１に対するユーザから指示を受けるためのユーザインターフェイス部分である。図３は操作ユニット７０の拡大図である。図３に示すように、操作ユニット７０は、ＬＣＤ（Liquid Crystal Display）などの表示パネル７１と、電源スイッチ７２、動作モード選択スイッチ７３、カーソルスイッチ７４、選択スイッチ７５、テンキー７６、印刷可スイッチ７７、印刷中止スイッチ７８、一時停止スイッチ７９などの各種スイッチ群とを有している。
【００３３】
ここで、動作モード選択スイッチ７３は、ＭＦＰ１の動作モードを選択するためのスイッチである。ＭＦＰ１の動作モードには、原稿台にセットされた原稿を複写する「コピーモード」、パーソナルコンピュータ２００やデジタルカメラ３００から送信された画像データを印刷する「プリントモード」、ファックス通信を行う「ファクシミリモード」、メモリスロット６にセットされたリムーバブルメモリ３１に記憶された画像データを印刷する「メモリカードモード」の４つの動作モードがある。ユーザが動作モード選択スイッチ７３を操作して所望の動作モードを選択すると、コントローラ８０の制御の下で、ＭＦＰ１は選択された動作モードに移行する。
【００３４】
コントローラ８０はＭＦＰ１の動作を制御する部分であり、ＣＰＵ８１と、ＲＡＭ８２と、ＲＯＭ８３と、タイマ（計時部）８４と、画像処理部８５とを有している。ＲＯＭ８３は、フラッシュメモリやＥＥＰＲＯＭなどの不揮発性のメモリであり、制御プログラムが予め記録されている。ＲＡＭ８２は、入出力バッファやワーキングメモリなどとして用いられる汎用のメモリである。ＣＰＵ８１はＭＦＰ１の主制御装置であり、ＲＯＭ８３に記憶された制御プログラムを実行することにより、ＭＦＰ１の各構成の動作を制御する。
【００３５】
また、制御プログラムを実行することにより、ＣＰＵ８１は、用紙設定を取得する用紙設定取得部８００と、取得した用紙設定に応じて受信設定を制御する受信設定部（受信印刷制御部）８１０として機能する。
【００３６】
タイマ８４は、水晶発振器とカウンタ回路とを有し、水晶発振器が発する一定周期のパルスを基準にしてパルス数をカウントすることにより計時を行う。画像処理部８５は、スキャナユニット５０から出力された画像データに対し、ガンマ補正、シェーディング補正などの画像処理を施す処理や、印刷エンジン６０に出力する画像データに対して、解像度変換、アンシャープ処理、階調補正、ハーフトーン処理、分版処理などの画像処理をＣＰＵ８１と協働して実行するＤＳＰ（Digital Signal Processor）などのハードウェアである。
【００３７】
ここで、各動作モードにおけるコントローラ８０の制御内容について簡単に説明する。まず、コピーモード設定について説明する。コピーモード設定時に、原稿台に原稿をセットした状態で印刷可スイッチ７７が押下されるようにして複写が指示されると、コントローラ８０は、原稿台にセットされた原稿をスキャナユニット５０に読み取らせる。そして、紙搬送機構４０に給紙トレイ７にセットされた用紙を給紙させ、読み取った画像データを印刷エンジン６０に出力して、給紙した用紙に印刷を行わせる。印刷後の用紙は紙搬送機構４０により排紙トレイ８に排出される。このようにして、コピーモードにおける原稿の複写が行われる。
【００３８】
プリントモード設定時において、外部インターフェイス２０を介してパーソナルコンピュータ２００やデジタルカメラ３００から印刷ジョブを受信すると、コントローラ８０は、受信した印刷ジョブに従って印刷エンジン６０に印刷を行わせる。印刷後の用紙は紙搬送機構４０により排紙トレイ８に排出される。なお、印刷ジョブの受信は、外部インターフェイス２０が携帯電話と赤外線通信などの無線通信を行って受信するようにしてもよい。このようにして、プリントモードにおける印刷が行われる。
【００３９】
メモリカードモード設定時においては、コントローラ８０は、メモリインターフェイス３０を介してメモリスロット６に装着されたリムーバブルメモリ３１から画像データを読み出して印刷エンジン６０に印刷させる。印刷後の用紙は紙搬送機構４０により排紙トレイ８に排出される。これにより、リムーバブルメモリ３１に記録された画像を印刷することができる。
【００４０】
ファクシミリモード設定時においては、コントローラ８０は、原稿トレイ４にセットされた原稿を給紙してスキャナユニット５０に読み取らせ、ファクシミリ送受信部１０に、読み取った画像のファクシミリデータを送り先のファクシミリ１００に送信させることでファクシミリ通信を行う。
【００４１】
また、ファクシミリ送受信部１０がファクシミリデータを受信した場合、コントローラ８０は、動作モードをファクシミリモードに移行させ、ファクシミリデータをＲＡＭ８２の入力バッファに転送する。コントローラ８０は、受信したファクシミリデータに従う印刷を印刷エンジン６０に行わせ、印刷後の用紙を紙搬送機構４０により排紙トレイ８に排出させる。このようにして、ファクシミリ印刷が行われる。
【００４２】
ここで、ファクシミリデータ受信時の処理手順について、自動受信設定と手動受信設定とが予め選択可能になっている。受信設定の設定は、コントローラ８０の受信設定部８１０が、表示パネル７１に図４に示す受信設定画面ＪＳＧを表示させることにより行う。受信設定画面ＪＳＧには、「常に自動受信」とする設定と、「Ａ４普通紙のみ自動受信」とする設定と、「常に手動受信」とする設定とが選択可能になっている。ユーザは、操作ユニット７０を操作して所望の受信設定を選択することができ、受信設定部８１０は、選択された受信設定を示す情報をＲＯＭ８３の所定のメモリ領域に記憶させることにより、受信設定を設定する。
【００４３】
「Ａ４普通紙のみ自動受信」の設定は、ファクシミリ用の用紙であるＡ４普通紙に印刷する場合に限って自動受信の手順に従い、Ａ４普通紙以外の用紙に印刷する場合には、手動受信の手順に従う設定である。なお、本実施例では、Ａ４普通紙をファクシミリ印刷用の用紙としたときの例について説明するが、ファクシミリ印刷用の用紙としてはこれに限られない。また、ファクシミリ印刷用の用紙として扱う用紙を選択するための画面を表示パネル７１に表示して、ユーザが設定した任意の用紙をファクシミリ印刷用の用紙として処理するようにしてもよい。
【００４４】
また、自動受信とは、ファクシミリデータを受信すると、ユーザの操作を受けることなくファクシミリ印刷を行う設定である。一方、手動受信とは、ＭＦＰ１に接続された受話器（図示なし）などが着信音を鳴らし、ユーザが操作ユニット７０のスイッチに所定の操作を行うことにより、ファクシミリデータの受信をユーザに確認させてから、ファクシミリ印刷を行う設定である。
【００４５】
「Ａ４普通紙のみ自動受信」に設定されていた場合、外部インターフェイス２０が印刷ジョブを受信した時、ＭＦＰ１の操作ユニット７０がユーザに操作されて用紙設定が変更された時、またはファクシミリ送受信部１０が公衆電話回線からリング信号を受信した時に、用紙設定に応じて受信設定を変更する受信設定変更処理が行われる。以下、受信設定変更処理についてフローチャートに従って説明する。
【００４６】
図５は受信設定変更処理の流れを示したフローチャートである。図５の処理を開始すると、まず、ＣＰＵ８１は用紙設定を取得する（ステップＳ１００）。ここで、用紙設定の取得方法は、受信設定変更処理を開始したタイミングによって異なる。具体的には、印刷ジョブを受信して受信設定変更処理を開始していた場合は、印刷ジョブの用紙設定を取得する。リング信号を受信して受信設定変更処理を開始していた場合は、送信されるファクシミリデータに指定された用紙設定を取得する。操作ユニット７０から用紙設定が変更されて受信設定変更処理を開始していた場合は、変更された用紙設定を取得する。
【００４７】
次に、ＣＰＵ８１は、取得した用紙設定がＡ４普通紙以外であるか否かを判断する（ステップＳ１１０）。用紙設定がＡ４普通紙、すなわちファクシミリ用の用紙でなければ（ステップＳ１１０：Ｙｅｓ）、ステップＳ１２０に進んで、受信設定を手動受信に設定してから、図５の処理を終了する。
【００４８】
また、用紙設定がＡ４普通紙でなければ（ステップＳ１１０：Ｎｏ）、ステップＳ１３０に進んで、ＣＰＵ８１は元の設定、すなわち受信設定変更処理の開始前の受信設定が自動受信であるか否かを判断する。元の設定が自動受信であれば（ステップＳ１３０：Ｙｅｓ）、受信設定を自動設定に設定してから（ステップＳ１４０）、図５の処理を終了する。元の設定が手動受信であれば（ステップＳ１３０：Ｎｏ）、手動受信が設定された状態のまま、図５の処理を終了する。
【００４９】
このように、「Ａ４普通紙のみ自動受信」に設定されていた場合、Ａ４普通紙以外の用紙に用紙設定されていれば、受信設定が手動受信に変更される。なお、ステップＳ１００の処理は用紙設定取得部８００が行う処理に対応し、ステップＳ１１０〜Ｓ１４０の処理は受信設定部８１０が行う処理に対応する。
【００５０】
以上に説明したように、「Ａ４普通紙のみ自動受信」に設定されている場合、印刷ジョブの用紙設定、ファクシミリデータの用紙設定、ＭＦＰ１への用紙設定がＡ４普通紙でなければ受信設定を手動受信に変更し、ファクシミリデータを受信しても、ユーザが操作ユニット７０を操作して印刷の開始を手動で指示するまではファクシミリ印刷の開始を待つように制御される。
【００５１】
以上に説明した実施例によれば、以下の効果を得ることができる。
【００５２】
（１）用紙設定がＡ４普通紙でないとき、給紙トレイ７にはファクシミリ用でない用紙がセットされている可能性が高い。そこで、用紙設定に応じて受信設定を変更することにより、操作ユニット７０を操作してファクシミリ印刷を行わせる前に、載置部に載置された用紙の種類を確認することができるようになり、Ａ４普通紙以外の用紙へのファクシミリ印刷を防ぐことができる。
【００５３】
（２）受信した印刷ジョブの用紙設定がＡ４普通紙ではない場合、手動受信に設定変更され、印刷ジョブに従う印刷後に行うファクシミリ印刷は、手動受信の手順に従って行われることになる。したがって、ファクシミリ用でない用紙へのファクシミリ印刷を効果的に防ぐことができる。
【００５４】
（３）ＭＦＰ１の用紙設定がＡ４普通紙以外の用紙に設定された場合、手動受信に設定変更され、用紙設定後のファクシミリ印刷は、手動受信の手順に従って行われるので、ファクシミリ用でない用紙へのファクシミリ印刷を効果的に防ぐことができる。
【００５５】
（４）ファクシミリ送受信部１０が公衆電話回線からリング信号を受信した時に、ファクシミリデータに指定された用紙設定がＡ４普通紙以外の用紙であった場合、手動受信の手順に従ってファクシミリ印刷が行われるので、ファクシミリ用でない用紙へのファクシミリ印刷を効果的に防ぐことができる。
【００５６】
（５）ユーザは、受信設定画面ＪＳＧにおいて、Ａ４普通紙以外の用紙設定の場合に手動受信に設定を変更する制御を有効、または無効に切り替えることができるので、ユーザにとって所望の制御を行う、使い勝手に優れたファクシミリ装置を得ることができる。
【００５７】
以上、本発明の一実施例について説明したが、本発明はこれに限られることなく、様々な形態とすることもできる。以下、本発明の変形例について説明する。
【００５８】
（変形例１）異なる種類の用紙を蓄積した複数個の給紙カセットを備え、操作ユニット７０から給紙先のカセットを選択して印刷を行う構成のＭＦＰ１に対して本発明を適用することもできる。この場合、給紙先のカセットの選択が適切であるか否かをユーザに確認させる旨の用紙確認画面を表示するとよい。
【００５９】
（変形例２）上記実施例では、用紙確認画面上のボタンを、カーソルスイッチ７４および選択スイッチ７５により選択するようにしたが、印刷可スイッチ７７、印刷中止スイッチ７８、一時停止スイッチ７９を押下することにより、選択するようにしてもよい。
【００６０】
（変形例３）手動受信印刷においてファクシミリデータを受信すると、給紙トレイ７にセットされた用紙の種類の確認を促すメッセージを表示パネル７１に表示させ、セットされた用紙種類の確認をユーザにより確実に行わせるようにしてもよい。
【００６１】
（変形例４）本発明は、マルチファンクションプリンタに限られることなく、ファクシミリや、ファクシミリ機能を有するプリンタ、ホストコンピュータおよびプリンタを有するファクシミリシステムに適用することもできる。
【図面の簡単な説明】
【００６２】
【図１】本実施例に係るマルチファンクションプリンタの外観斜視図。
【図２】マルチファンクションプリンタの内部構成図。
【図３】操作ユニットの拡大図。
【図４】受信設定画面の一例を示した図。
【図５】受信設定変更処理の流れを示したフローチャート。
【符号の説明】
【００６３】
１…ファクシミリ装置としてのマルチファンクションプリンタ、２…装置本体、３…原稿カバー、４…原稿トレイ、５…原稿排紙トレイ、６…メモリスロット、７…載置部としての給紙トレイ、８…排紙トレイ、１０…ファクシミリデータ受信部としてのファクシミリ送受信部、２０…印刷ジョブ受信部としての外部インターフェイス、３０…メモリインターフェイス、３１…リムーバブルメモリ、４０…紙搬送機構、５０…スキャナユニット、６０…印刷部としての印刷エンジン、７０…操作部としての操作ユニット、７１…表示部としての表示パネル、８０…コントローラ、８１…ＣＰＵ、８２…ＲＡＭ、８３…ＲＯＭ、８４…タイマ、８５…画像処理部、１００…ファクシミリ、２００…パーソナルコンピュータ、３００…デジタルカメラ、８００…用紙設定取得部、８１０…受信印刷制御部としての受信設定部。
【図１】
2008211431.tif 000003
【図２】
2008211431.tif 000004
【図３】
2008211431.tif 000005
【図４】
2008211431.tif 000006
【図５】
2008211431.tif 000007